(57)【要約】【課題】階層化モバイルネットワーク配下にある端末が通信相手端末とＩＰパケットによる通信を行う際に、モバイルネットワークの位置情報を管理しているホームエージェントの位置管理負荷を低減しつつ、両端末間の通信経路の最適化を図る。【解決手段】階層化モバイルネットワーク２０内の各モバイルネットワークの位置を、当該階層化モバイルネットワーク２０の最上位モバイルルータの位置を管理するホームエージェント１１−１と、位置管理対象であるモバイルネットワーク内に設置されたモバイルルータの位置を管理するホームエージェントの二階層で管理する【選択図】  図１
2004260302.tif 000002
【特許請求の範囲】
【請求項１】
固定ＩＰ網と、移動にともない接続点を変更しながら前記固定ＩＰ網に接続するモバイルルータを備えた複数のモバイルネットワークが階層的に連なるように相互接続されてなる階層化モバイルネットワークとを接続したネットワーク環境において、
前記固定ＩＰ網又はモバイルネットワーク内に、各モバイルネットワーク内に設置されているモバイルルータの気付けアドレスを当該モバイルネットワークの位置情報として管理するとともに、モバイルネットワークへのパケット送出要求があったときには、該モバイルネットワークのネットワークアドレス（ホームプレフィックス）から該モバイルネットワークの位置情報を検索し、検索結果に含まれるモバイルルータの気付けアドレスを宛先としてパケットを送出するホームエージェントを設置することにより、一以上の端末が収納された各モバイルネットワークの位置を管理する方法であって、
前記階層化モバイルネットワーク内に設置され且つ前記固定ＩＰ網に直接接続しているモバイルルータ（最上位モバイルルータ）は、階層的に下位側の自身のアドレスを含む位置情報からなる階層化情報を生成し、該階層化情報を階層的に下位側に接続されているモバイルルータに通知し、
前記階層化モバイルネットワークに設置された他のモバイルルータは、階層的に上位のモバイルルータから通知された階層化情報に対して、階層的に上位側の自身のアドレスを追加してなる自身の階層化情報を生成し、該階層化情報を階層的に下位側に接続されているモバイルルータに通知するとともに、
前記最上位モバイルルータは、自身の固定ＩＰ網側のアドレスを自身が設置されているモバイルネットワークの位置情報としてホームエージェントに登録し、
他のモバイルルータは、自身で生成した階層化情報を自身が設置されているモバイルネットワークの位置情報として各ホームエージェントに登録する
ことを特徴とする移動端末の位置管理方法。
【請求項２】
各モバイルルータは、自身で生成した階層化情報を埋め込んだルータ広告を用いて階層的に下位のモバイルルータに該階層化情報を通知するとともに、階層的に上位の複数のモバイルルータから階層化情報を受信した場合には階層化数が最小の階層化情報を選択し、この階層化情報に対して、階層的に上位側の自身のアドレスを追加してなる自身の階層化情報を生成する
ことを特徴とする請求項１記載の移動端末の位置管理方法。
【請求項３】
各モバイルルータは、自身が設置されているモバイルネットワークから着信した他ＩＰ網宛のＩＰパケットを受信すると、該ＩＰパケットをカプセル化し、カプセル化したＩＰパケットのルーティングヘッダに自身の階層化情報を付与し、階層化情報を付加したＩＰパケットを送出する
ことを特徴とする請求項１記載の移動端末の位置管理方法。
【請求項４】
各ホームエージェントは、他ＩＰネットワークから着信したＩＰパケットの宛先アドレスのプレフィックスを基に、モバイルネットワークのネットワークアドレス（ホームプレフィックス）と、当該モバイルネットワークの位置情報（階層化情報）を検索し、ホームプレフィックスに対応する位置情報（階層化情報）が登録されている場合、当該ＩＰパケットをカプセル化し、カプセル化したＩＰパケットのルーティングヘッダに前記検索により得られた位置情報（階層化情報）を付与し、位置情報（階層化情報）を付加したＩＰパケットを送出する
ことを特徴とする請求項１記載の移動端末の位置管理方法。
【請求項５】
移動にともない接続点を変更しながら固定ＩＰ網に接続するモバイルルータであって、且つ、該モバイルルータを備えたモバイルネットワークを階層的に連なるように相互接続することにより階層化モバイルネットワークを構築可能なモバイルルータにおいて、
自身が固定ＩＰ網に直接接続している場合には、階層的に下位側の自身のアドレスを含む位置情報からなる階層化情報を生成し、自身が固定ＩＰ網に直接接続していない場合には、階層的に上位のモバイルルータから通知された階層化情報に対して、階層的に上位側の自身のアドレスを追加してなる自身の階層化情報を生成する階層化情報生成手段と、
階層化情報生成手段で生成された階層化情報を階層的に下位側に接続されている他のモバイルルータに通知する階層化情報通知手段と、
階層化情報生成手段で生成された階層化情報を自身が設置されているモバイルネットワークの位置情報として固定ＩＰ網又はモバイルネットワークに設置されたホームエージェントに登録する階層化情報登録手段を備えた
ことを特徴とするモバイルルータ。
【請求項６】
前記階層化情報通知手段は、ルータ広告に階層化情報を埋め込むことにより階層化情報を階層的に下位側に接続されている他のモバイルルータに通知するとともに、
前記階層化情報生成手段は、階層的に上位の複数のモバイルルータから階層化情報を受信した場合には階層化数が最小の階層化情報を選択し、この階層化情報に対して、階層的に上位側の自身のアドレスを追加してなる自身の階層化情報を生成する
ことを特徴とする請求項５記載のモバイルルータ。
【請求項７】
自身が設置されているモバイルネットワークから着信した他ＩＰ網宛のＩＰパケットを受信すると、該ＩＰパケットをカプセル化し、カプセル化したＩＰパケットのルーティングヘッダに自身の階層化情報を付与し、階層化情報を付加したＩＰパケットを送出する中継手段を備えた
ことを特徴とする請求項５記載のモバイルルータ。
【請求項８】
固定ＩＰ網と、移動にともない接続点を変更しながら前記固定ＩＰ網に接続するモバイルルータを備えた複数のモバイルネットワークが階層的に連なるように相互接続されてなる階層化モバイルネットワークとを接続したネットワーク環境において、前記固定ＩＰ網又はモバイルネットワーク内に設置されるホームエージェントであって、
各モバイルネットワーク内に設置されているモバイルルータからの登録要求に応じて該モバイルルータまでの経路における各モバイルルータの気付けアドレスのリストからなる階層化情報を当該モバイルネットワークの位置情報として管理する手段と、
他ＩＰネットワークから着信したＩＰパケットの宛先アドレスのプレフィックスを基に、モバイルネットワークのネットワークアドレス（ホームプレフィックス）と、当該モバイルネットワークの位置情報（階層化情報）を検索し、ホームプレフィックスに対応する位置情報（階層化情報）が登録されている場合、当該ＩＰパケットをカプセル化し、カプセル化したＩＰパケットのルーティングヘッダに前記検索により得られた位置情報（階層化情報）を付与し、位置情報（階層化情報）を付加したＩＰパケットを送出する中継手段を備えた
ことを特徴とするホームエージェント。
【発明の詳細な説明】
【０００１】
【発明の属する技術分野】
本発明は、モバイルルータにより一以上の端末が収容されたモバイルネットワークを階層的に接続してなる階層化モバイルネットワークと該階層化モバイルネットワークと接続する固定ＩＰ網とを接続したネットワーク環境において、前記階層化モバイルネットワーク配下にありモバイルルータとともに集団で移動する端末（群）の位置を適切に管理する方法及び装置に関する。
【０００２】
【従来の技術】
ＩＰ網における集団移動管理技術としては、従来、インターネット・エンジニアリング・タスク・フォース（ＩＥＴＦ）のｎｅｍｏ（Ｎｅｔｗｏｒｋ  Ｍｏｂｉｌｉｔｙ）  Ｗｏｒｋｉｎｇ  Ｇｒｏｕｐで議論されている技術が知られている（非特許文献１参照）。以下に、図５を参照して従来の集団移動管理技術について説明する。図５は、従来の技術を適用した場合の、階層化モバイルネットワーク内の端末が通信相手端末と通信する手順を示したものである。
【０００３】
（１）ｎ個のモバイルネットワーク１２０−１〜１２０−ｎは、階層的に連なり一つの移動集団である階層化モバイルネットワーク１２０を形成している。各モバイルネットワーク１２０−１〜１２０−ｎには、それぞれモバイルルータ１２１−１〜１２１−ｎが設置されている。階層的に最上位に位置するモバイルネットワーク１２０−１のモバイルルータ１２１−１は、固定ＩＰ網１１０内に設置された境界ルータ１１２と接続している。
【０００４】
（２）各モバイルルータ１２１−１〜１２１−ｎは、移動先で割り当てられた気付けアドレスを、固定ＩＰ網１１０内に設置された各ホームエージェント１１１−１〜１１１−ｎに登録する。図５の例では、モバイルルータ１２１−１はホームエージェント１１１−１，…，モバイルルータ１２１−ｎはホームエージェント１１１−ｎに登録する。
【０００５】
（３）固定ＩＰ網１１０内の端末１１３から階層化モバイルネットワーク１２０内の端末１２２へのＩＰパケット送信経路を矢印Ｓ１１〜Ｓ１７で示す。図に示すように、端末１１３から送信されたＩＰパケットは、まず、端末１２２が帰属するモバイルネットワーク１２０−ｎの位置を管理しているホームエージェント１１１−ｎに対して送信される（矢印Ｓ１１）。
【０００６】
ホームエージェント１１１−ｎは、モバイルネットワーク１２０−ｎのホームプレフィックスに対応する位置情報、すなわちモバイルルータ１２１−ｎの気付けアドレスを検索し、当該モバイルルータ１２１−ｎの気付けアドレスすなわちモバイルネットワーク１２０−（ｎ−１）にＩＰパケットを転送するために、当該モバイルネットワーク１２０−（ｎ−１）の位置を管理しているホームエージェント１１１−（ｎ−１）に対してＩＰパケットを送信する（矢印Ｓ１２）。
【０００７】
以下同様にして、階層化モバイルネットワーク１２０の階層を形成する全てのモバイルネットワークの位置を管理するホームエージェントを経由して、端末１２２へＩＰパケットが転送される（矢印Ｓ１３〜Ｓ１７）。
【０００８】
（４）階層化モバイルネットワーク１２０内の端末１２２から固定ＩＰ網１１０内の端末１１３へのＩＰパケット送信経路を矢印Ｓ１８〜Ｓ２４で示す。図に示すように、端末１２２から送信されたＩＰパケットは、まず、端末１２２が帰属するモバイルネットワーク１２０−ｎに設置されているモバイルルータ１２１−ｎでカプセル化され、以下同様にモバイルルータを経由するたびにカプセル化され、最後に最上位モバイルルータ１２１−１でカプセル化された後、最上位モバイルルータ１２１−１の位置を管理するホームエージェント１１１−１に対して送信される（矢印Ｓ１８）。ホームエージェント１１１−１は受信したパケットをデカプセル化した後、ホームエージェント１１１−２に対して送信する（矢印Ｓ１９）。以下同様にして、階層化モバイルネットワーク２０の階層を形成する各モバイルネットワークの位置を管理するホームエージェントを経由して、端末１３へＩＰパケットが転送される（矢印Ｓ２０〜Ｓ２４）。
【０００９】
上述した技術により、端末１２２と端末１１３との通信中に、端末１２２がモバイルルータとともに階層化モバイルネットワーク１２０内を移動し、モバイルルータの収容先の変更に伴うアドレス変更が生じても、両端末間の通信を継続することができる。
【００１０】
【非特許文献１】
Ｔｈｉｅｒｒｙ  Ｅｒｎｓｔ、他４名、”Ｍｏｂｉｌｅ  Ｎｅｔｗｏｒｋｓ  Ｓｕｐｐｏｒｔ  ｉｎ  Ｍｏｂｉｌｅ  ＩＰｖ６（Ｐｒｅｆｉｘ  Ｓｃｏｐｅ  Ｂｉｎｄｉｎｇ  Ｕｐｄａｔｅｓ）”、［ｏｎｌｉｎｅ］、平成１４年３月、ＩＥＴＦ  Ｎｅｔｗｏｒｋ  Ｍｏｂｉｌｉｔｙ  Ｗｏｒｋｉｎｇ  Ｇｒｏｕｐ、［平成１５年１月３１日］、インターネットＵＲＬ＜ｈｔｔｐ：／／ｗｗｗ．ｎａｌ．ｍｏｔｌａｂｓ．ｃｏｍ／ｎｅｍｏ／ｄｒａｆｔｓ／ｄｒａｆｔ−ｅｒｎｓｔ−ｍｏｂｉｌｅｉｐ−ｖ６−ｎｅｔｗｏｒｋ−０３．ｔｘｔ＞
【００１１】
【発明が解決しようとする課題】
しかし、前記従来の技術では、階層化モバイルネットワーク内にある端末が通信相手端末と通信を行う際に、ＩＰパケットが階層化モバイルネットワーク内のモバイルルータと同数のホームエージェントを経由するため、通信経路が長くなり遅延が大きくなるという難点があった。また、ＩＰパケットの転送経路はＩＰｉｎＩＰの多重トンネルとなるため階層化モバイルネットワークの階層化に比例してパケットのオーバヘッドが大きくなり、転送効率が低下するという問題もあった。
【００１２】
本発明の目的は、上記事情に鑑みてなされたものであり、その目的とするところは、階層化モバイルネットワーク配下にある端末が通信相手端末とＩＰパケットによる通信を行う際に、モバイルネットワークの位置情報を管理しているホームエージェントの位置管理負荷を低減しつつ、両端末間の通信経路の最適化を図ることができる移動端末の位置管理方法及びモバイルルータ並びにホームエージェントを提供することにある。
【００１３】
【課題を解決するための手段】
上記目的を達成するために、本発明では、階層化モバイルネットワーク内に設置され且つ固定ＩＰ網に直接接続しているモバイルルータ（最上位モバイルルータ）は、階層的に下位側の自身のアドレスを含む位置情報からなる階層化情報を生成し、該階層化情報を階層的に下位側に接続されているモバイルルータに通知し、階層化モバイルネットワークに設置された他のモバイルルータは、階層的に上位のモバイルルータから通知された階層化情報に対して、階層的に上位側の自身のアドレスを追加してなる自身の階層化情報を生成し、該階層化情報を階層的に下位側に接続されているモバイルルータに通知する。そして、前記最上位モバイルルータは、自身の固定ＩＰ網側のアドレスを自身が設置されているモバイルネットワークの位置情報としてホームエージェントに登録し、他のモバイルルータは、自身で生成した階層化情報を自身が設置されているモバイルネットワークの位置情報として各ホームエージェントに登録する。これにより、ホームエージェントはこの階層化情報を各モバイルネットワークの位置情報として管理する。
【００１４】
換言すれば、本発明に係る移動端末の位置管理方法では、階層化モバイルネットワーク内の各モバイルネットワークの位置を、当該階層化モバイルネットワークの最上位に位置し固定ＩＰ網と直接接続しているモバイルルータ（最上位モバイルルータ）の位置を管理するホームエージェントと、位置管理対象であるモバイルネットワーク内に設置されたモバイルルータの位置を管理するホームエージェントの二階層で管理することを特徴とする。
【００１５】
本発明によれば、モバイルルータの位置を階層化モバイルネットワークの階層化情報により管理可能となるので、最適な通信経路（パス）を確立できるとともに、トンネルの多重化数を抑えた通信路を確立できる。
【００１６】
また、本発明に係る移動端末の管理方法では、各モバイルルータは、自身で生成した階層化情報を埋め込んだルータ広告を用いて階層的に下位のモバイルルータに該階層化情報を通知するとともに、階層的に上位の複数のモバイルルータから階層化情報を受信した場合には階層化数が最小の階層化情報を選択し、この階層化情報に対して、階層的に上位側の自身のアドレスを追加してなる自身の階層化情報を生成する。
【００１７】
本発明によれば、階層化情報を階層的に下位側のモバイルルータに通知するためにルータ広告を用いているので、該通知を確実に実施できる。
【００１８】
さらに、本発明に係る移動端末の管理方法では、各モバイルルータは、自身が設置されているモバイルネットワークから着信した他ＩＰ網宛のＩＰパケットを受信すると、該ＩＰパケットをカプセル化し、カプセル化したＩＰパケットのルーティングヘッダに自身の階層化情報を付与し、階層化情報を付加したＩＰパケットを送出する。
【００１９】
さらに、本発明に係る移動端末の管理方法では、各ホームエージェントは、他ＩＰネットワークから着信したＩＰパケットの宛先アドレスのプレフィックスを基に、モバイルネットワークのネットワークアドレス（ホームプレフィックス）と、当該モバイルネットワークの位置情報（階層化情報）を検索し、ホームプレフィックスに対応する位置情報（階層化情報）が登録されている場合、当該ＩＰパケットをカプセル化し、カプセル化したＩＰパケットのルーティングヘッダに前記検索により得られた位置情報（階層化情報）を付与し、位置情報（階層化情報）を付加したＩＰパケットを送出する。
【００２０】
これらの発明によれば、カプセル化したＩＰパケットのルーティングヘッダに階層化情報を付与しているので、該ＩＰパケットは階層化情報にしたがった経路で転送可能となる。なお、ＩＰパケットのルーティングヘッダとは、当該ＩＰパケットが通過しなければならないノードを示す情報領域を意味する。
【００２１】
【発明の実施の形態】
本発明の位置実施の形態について図面を参照して説明する。図１は前提となるネットワーク環境を説明するシステム構成図である。
【００２２】
図１に示す構成では、ｎ個のモバイルネットワーク２０−１〜２０−ｎは、階層的に連なり一つの移動集団である階層化モバイルネットワーク２０を形成している。各モバイルネットワーク２０−１〜２０−ｎには、それぞれモバイルルータ２１−１〜２１−ｎが設置されている。階層的に最上位に位置するモバイルネットワーク２０−１のモバイルルータ２１−１は、固定ＩＰ網１０内に設置された境界ルータ１２と接続している。
【００２３】
固定ＩＰ網１０内には、それぞれモバイルルータ２１−１〜２２−ｎの位置情報を管理するホームエージェント１１−１〜１１−ｎが設置されている。各ホームエージェント１１−１〜１１−ｎは、モバイルルータの気付けアドレスを含む階層化情報（後述する）を位置情報として記憶管理する。
【００２４】
本実施の形態では、このようなネットワーク環境においてＭｏｂｉｌｅＩＰｖ６と呼ばれるプロトコル体系を用いる。このプロトコル体系では、ＩＰパケットにルーティングヘッダと呼ばれる情報領域が定められており、必要に応じてこの情報領域にノードのアドレスのリストを書き込むことにより、当該ＩＰパケットの経路を指定することができる。
【００２５】
以下に各モバイルルータ及びホームエージェントの機能構成について、各装置の動作をもって説明する。
【００２６】
まず、本実施形態における階層化モバイルネットワーク内の各モバイルルータが当該モバイルルータの位置情報（階層化モバイルネットワーク２０の階層化情報）を取得生成する方法について図２を参照して詳細に説明する。
【００２７】
階層化モバイルネットワーク２０の最上位モバイルルータ２１−１は、当該モバイルルータ２１−１の位置情報（当該モバイルルータ２１−１の階層的に下位側に位置するモバイルルータ２１−２と接続する側のアドレス）を下位モバイルルータ２１−２に通知する（図２の矢印Ｓ１）。
【００２８】
該通知を受信した下位モバイルルータ２１−２は、通知元の上位モバイルルータ２１−１の位置情報に当該モバイルルータ２１−２の位置情報（当該モバイルルータ２１−２の上位モバイルルータ２１−１と接続する側のＩＰアドレス）を追加したリスト（階層化モバイルネットワーク２０の階層化情報）を生成し、これをモバイルルータ２１−２の位置情報として下位モバイルルータ２１−３に通知する（図２の矢印Ｓ２）。
【００２９】
以下同様にして、上位モバイルルータから下位モバイルルータへ階層化モバイルネットワーク２０の階層化情報を通知していき（図２の矢印Ｓ３〜Ｓ５）、階層化モバイルネットワーク２０内のすべてのモバイルルータが当該モバイルルータの位置情報（階層化モバイルネットワーク２０の階層化情報）を取得・生成する。
【００３０】
ここで、階層化情報の通知には、ＩＰｖ６のルータ広告機能を用いる。すなわち、各上位モバイルルータは、ルータ広告用のパケットに階層化情報を埋め込んでモバイルネットワークに送出することにより、下位モバイルルータに階層化情報を通知できる。ここで、モバイルネットワークの位置など階層化モバイルネットワークの状況によっては、あるモバイルルータが複数の上位モバイルルータから階層化情報が埋め込まれたルータ広告を受信する場合がある。この場合には、複数のルータ広告を受信したモバイルルータは、各ルータ広告に埋め込まれている階層化情報のうち最も階層数が小さいものを採用し、この階層化情報に自身の位置情報（上位モバイルネットワーク側の自身のＩＰアドレス）を追加したリストからなる階層化情報を生成する。
【００３１】
最上位モバイルルータ２１−１は、境界ルータ１２と接続している側のアドレス、すなわち、固定ＩＰ網１０側のアドレスをホームエージェント１１−１に登録し、他の各モバイルルータ２１−２〜２１−ｎは取得・生成した位置情報（階層化モバイルネットワーク２０の階層化情報）を各ホームエージェント１１−２〜１１−ｎに登録する。図２の例では、モバイルルータ２１−２はホームエージェント１１−２に，…，モバイルルータ２１−ｎはホームエージェント１１−ｎに登録する。
【００３２】
次に、本実施の形態における階層化モバイルネットワーク２０内の端末２２から固定ＩＰ網１０内の端末１３へのＩＰパケット送信方法について図３を参照して詳細に説明する。ここで、端末２２はモバイルネットワーク２０−ｎに収容されているものとする。
【００３３】
ＩＰパケットはまず、端末２２から、該端末２２が帰属するモバイルネットワーク２０−ｎ内に設置されたモバイルルータ２１−ｎに送信される。該ＩＰパケットを受信したモバイルルータ２１−ｎは、ＩＰパケットをカプセル化しさらにルーティングヘッダに自分の位置情報（階層化モバイルネットワーク２０の階層化情報）を付与してＩＰパケットを転送する。これにより、カプセル化されたＩＰパケットは、端末２２が帰属するモバイルネットワーク２０−ｎの位置を管理しているホームエージェント１１−ｎに送信される（図３の矢印Ｓ６）。ここで、カプセル化されたＩＰパケットのルーティングヘッダには階層化情報が記述されているので、該ＩＰパケットは更なる多重トンネル化された経路を通ることなくホームエージェント１１−ｎに到達する。そして、該ＩＰパケットを受信したホームエージェント１１−ｎは、受信した当該ＩＰパケットをデカプセル化した後、端末１３に対して送信する（図３の矢印Ｓ７）。
【００３４】
次に、本実施の形態における固定ＩＰ網１０内の端末１３から階層化モバイルネットワーク２０内の端末２２へのＩＰパケット送信方法について図４を参照して詳細に説明する。ここで、端末２２の位置関係については図３と同じである。
【００３５】
ＩＰパケットはまず、端末１３から、端末２２が帰属するモバイルネットワーク２０−ｎの位置を管理しているホームエージェント１１−ｎに対して送信される（図４の矢印Ｓ８）。
【００３６】
該パケットを受信したホームエージェント１１−ｎは、モバイルネットワーク２０−ｎのホームプレフィックスに対応する位置情報すなわちモバイルルータ２１−ｎから取得した階層化モバイルネットワーク２０の階層化情報を検索するとともに、当該ＩＰパケットをカプセル化した後に、前記検索した位置情報（階層化情報）をＩＰパケットのルーティングヘッダに付与する。そして、ホームエージェント１１−ｎは、階層化モバイルネットワーク２０の最上位モバイルルータ２１−１の位置を管理するホームエージェント１１−１に対してカプセル化したＩＰパケットを送信する（図４の矢印Ｓ９）。このように、ホームエージェント１１−ｎは、階層化モバイルネットワーク２０の階層化情報を検索・取得可能なので、階層化モバイルネットワーク２０の最上位モバイルルータ２１−１の位置を管理するホームエージェント１１−１に対して直接ＩＰパケットを送信することができる。これにより、トンネルの多重化数を所定数以下に抑えることができる。
【００３７】
カプセル化されたＩＰパケットを受信したホームエージェント１１−１は、受信したパケットをさらにカプセル化した後、階層化モバイルネットワーク２０の最上位モバイルルータ２１−１に対して送信することにより、階層化モバイルネットワーク２０内の各モバイルネットワークを経由して端末２２へＩＰパケットが転送される（図４の矢印Ｓ１０）。
【００３８】
このように、階層化モバイルネットワーク内にある端末が通信相手端末と通信を行う際、従来の方法では、図５に示すとおり、ＩＰパケットが階層化モバイルネットワーク内のモバイルルータと同数のホームエージェントを経由する必要があり、通信経路が長くなっていたが、本発明によれば、図３及び図４に示すとおり、通信経路途中に存在する階層化モバイルネットワーク内のモバイルルータの位置を管理するホームエージェントの経由を回避し、通信経路を最適化することが可能となる。また、トンネルの多重化数を所定数以下に抑えることができるのでＩＰパケットのオーバヘッド増加を抑え、効率的なデータ通信が可能となる。
【００３９】
以上本発明の一実施の形態について説明したが、本発明はこれに限定されるものではない。例えば、上記実施の形態ではＭｏｂｉｌｅＩＰｖ６をプロトコル体系として利用していたが他のプロトコル体系であっても本発明を適用できる。
【００４０】
【発明の効果】
以上詳述したように、本発明によれば、モバイルルータの位置を階層化モバイルネットワークの階層化情報により管理可能となるので、最適な通信経路（パス）を確立できるとともに、トンネルの多重化数を抑えた通信路を確立できる。したがって、階層化モバイルネットワーク配下にある端末が通信相手端末とＩＰパケットによる通信を行う際に、モバイルネットワークの位置情報を管理しているホームエージェントの位置管理負荷を低減しつつ、両端末間の通信経路の最適化を図ることができる
【図面の簡単な説明】
【図１】ネットワーク環境を説明するシステム構成図
【図２】階層化情報の取得生成方法を説明する図
【図３】階層化モバイルネットワーク内の端末から固定ＩＰ網内の端末へＩＰパケットを送信する方法を説明する図
【図４】固定ＩＰ網内の端末から階層化モバイルネットワーク内の端末へＩＰパケットを送信する方法を説明する図
【図５】従来の階層化モバイルネットワークにおける通信を説明する図
【符号の説明】
１０，１１０…固定ＩＰ網、１１−１〜１１−ｎ，１１１−１〜１１１−ｎ…ホームエージェント、１２，１１２…境界ルータ、１３，１１３…端末、２０，１２０…階層化モバイルネットワーク、２０−１〜２０−ｎ，１２０−１〜１２０−ｎ…モバイルネットワーク、２１−１〜２１−ｎ，１２１−１〜１２１−ｎ…モバイルルータ、２２，１２２…端末
【図１】
2004260302.tif 000003
【図２】
2004260302.tif 000004
【図３】
2004260302.tif 000005
【図４】
2004260302.tif 000006
【図５】
2004260302.tif 000007